(57)【特許請求の範囲】
【請求項１】
被施術者の頭部が載置される施術部が備えられたアイメイク施術台において、
前記頭部が載置された前記施術部の周囲に配置されて施術者の肘が載せられる肘置き部と、
水平を軸にして前記肘置き部の角度を調節する調節機構と、
が備えられ、
前記調節機構が、
前記軸から等距離に形成された複数の角度位置決め部と、
前記角度位置決め部に嵌合される調節嵌合部と、
前記角度位置決め部と前記調節嵌合部との嵌合状態を変化させる操作部と、
から構成された、
ことを特徴とするアイメイク施術台。
【請求項２】
前記操作部が前記軸に備えられ、前記操作部を回転させることで前記調節嵌合部が前記角度位置決め部から抜去され、前記操作部を逆に回転させることで前記調節嵌合部が前記角度位置決め部に嵌合する、
ことを特徴とする請求項１に記載されたアイメイク施術台。
【請求項３】
前記操作部が前記調節嵌合部に備えられ、前記軸の軸方向に前記操作部が引かれることで前記調節嵌合部が前記角度位置決め部から抜去され、前記軸の軸方向に前記操作部が挿入されることで前記調節嵌合部が前記角度位置決め部に嵌合する、
ことを特徴とする請求項１に記載されたアイメイク施術台。
【請求項４】
被施術者の頭部が載置される施術部が備えられたアイメイク施術台において、
前記頭部が載置された前記施術部の周囲に配置されて施術者の肘が載せられる肘置き部と、
水平を軸にして前記肘置き部の角度を調節する調節機構と、
が備えられ、
前記調節機構が、
前記軸と交差すると共に前記軸から離れる方向に向けて形成された複数の係止部と、
前記軸と平行である調節軸を軸として回転可能に支持されると共に、前記係止部に係止される調節部材と、
前記係止部と前記調節部材との係止状態を変化させる操作部と、
から構成された、
ことを特徴とするアイメイク施術台。
【発明の詳細な説明】
【技術分野】
【０００１】
本発明は、理美容院などでのアイラッシュ、アイブロウなどをはじめとするアイメイク分野で活用されるアイメイク施術台に関するものである。
【背景技術】
【０００２】
従来、医療施設や理美容施設において被施術者が施術される際、被施術者は施術台（施術椅子）に載せられる。一方、施術者は以下のとおり施術を行う。また、施術時間は凡そ１〜２時間程度である。
１）背筋を伸ばす。
２）脇を閉め、肘を固定する。
３）被施術者の額に手をあてる（あてない場合もある。）。
４）施術者の目と被施術者の目（被施術部）との位置関係を決める（施術者と被施術者の目を水平位置で決める場合、施術者が被施術者の目を見下ろす位置で決める場合などがある。）。
５）被施術部に対してピンセットなどを用いて施術する。
【０００３】
なお、先行技術文献として、つけまつ毛を装着する方法などについての発明が下記特許文献１、２に提案されている。
【先行技術文献】
【特許文献】
【０００４】
【特許文献１】特開２０１２−４６８５２号公報
【特許文献２】特許第５２４８８８３号公報
【発明の概要】
【発明が解決しようとする課題】
【０００５】
しかし、上記したとおり、従来のアイメイク施術では、上記１）〜５）で理解されるように、施術者が脇を閉めることで肘を固定して施術するため、姿勢を長時間安定させるのは困難である。また、このような姿勢は、施術者の肘の角度や腕の長さと、被施術者の頭の大きさや目の位置などとの相対的な位置関係によって決定されるため、その都度適当な姿勢を模索しなければならず、施術箇所においては適切な姿勢も異なるため施術者の身体的負担は大きかった。
【０００６】
本発明は、上記の実情に鑑みて提案されたものである。すなわち、長時間の施術であっても、施術者の姿勢を安定させて身体への負担を軽減することができ、なおかつ多様な施術箇所においても、適切な姿勢を促すことができるアイメイク施術台の提供を目的とする。
【課題を解決するための手段】
【０００７】
上記目的を達成するために、本発明に係るアイメイク施術台は、被施術者の頭部が載置される施術部が備えられたアイメイク施術台において、前記頭部が載置された前記施術部の周囲に配置されて施術者の肘が載せられる肘置き部と、水平を軸にして前記肘置き部の角度を調節する調節機構と、が備えられた、ことを特徴とする。
【０００８】
本発明に係るアイメイク施術台は、前記調節機構が、前記軸から等距離に形成された複数の角度位置決め部と、前記角度位置決め部に嵌合される調節嵌合部と、前記角度位置決め部と前記調節嵌合部との嵌合状態を変化させる操作部と、から構成された、ことを特徴とする。
【０００９】
本発明に係るアイメイク施術台は、前記操作部が前記軸に備えられ、前記操作部を回転させることで前記調節嵌合部が前記角度位置決め部から抜去され、前記操作部を逆に回転させることで前記調節嵌合部が前記角度位置決め部に嵌合する、ことを特徴とする。
【００１０】
本発明に係るアイメイク施術台は、前記操作部が前記調節嵌合部に備えられ、前記軸の軸方向に前記操作部が引かれることで前記調節嵌合部が前記角度位置決め部から抜去され、前記軸の軸方向に前記操作部が挿入されることで前記調節嵌合部が前記角度位置決め部に嵌合する、ことを特徴とする。
【００１１】
本発明に係るアイメイク施術台は、前記調節機構が、前記軸と交差すると共に前記軸から離れる方向に向けて形成された複数の係止部と、前記軸と平行である調節軸を軸として回転可能に支持されると共に、前記係止部に係止される調節部材と、前記係止部と前記調節部材との係止状態を変化させる操作部と、から構成された、ことを特徴とする。
【発明の効果】
【００１２】
本発明に係るアイメイク施術台は上記した構成である。したがって、施術者は、自ら脇を閉める必要がなく、肘置き部により肘を固定させてアイメイクなどの施術をすることができるので、施術が安定するとともに、施術効率を向上させることができる。さらに、調節機構により、肘を固定する位置や腕の角度を任意に調節することができるため、各施術箇所に応じて適切な姿勢を促すことができ、施術時の姿勢が安定するため、施術者の身体への負担を軽減することもできる。
【００１３】
本発明に係るアイメイク施術台は、上記した構成により、簡便な構成で調節機構を実現することができる。
【００１４】
本発明に係るアイメイク施術台は、上記した構成により、簡便な操作で調節機構を稼働させることができる。特に、理美容という職業柄、施術者の多くが女性であり、そのため、施術者は一般的に力が弱いうえに、爪に装飾を施していることが多い状況下において、爪を傷めずに僅かな力で肘置き部を調節することができる。
【図面の簡単な説明】
【００１５】
【図１】本発明の実施形態に係るアイメイク施術台の概略を示す概略斜視図である。
【図２】本発明のアイメイク施術台の調節機構が稼働したことによって角度が変化した肘置き部の様子を示し、（ａ）は変化前の概略斜視図、（ｂ）は変化後の概略斜視図である。
【図３】本発明の第一実施形態に係るアイメイク施術台の肘置き部の外観が示され、（ａ）が正面側から視した正面斜視図、（ｂ）が背面側から視した背面斜視図、（ｃ）が側方側から視した側面図である。
【図４】本発明の第一実施形態に係るアイメイク施術台の背面側から視した肘置き部の外観が示された背面斜視図である。
【図５】本発明の第一実施形態に係るアイメイク施術台の肘置き部を背面側から視した外観が示され、（ａ）が操作前の状態が示された図、（ｂ）が操作後の状態が示された図である。
【図６】本発明の第二実施形態に係るアイメイク施術台の肘置き部の外観が示された外観斜視図である。
【図７】本発明の第二実施形態に係るアイメイク施術台の肘置き部を背面側から視した外観が示され、（ａ）が操作前の状態が示された図、（ｂ）が操作後の状態が示された図である。
【図８】本発明の第三実施形態に係るアイメイク施術台の肘置き部の外観が示され、調節機構が稼働したことによって角度が変化した後の外観斜視図である。
【図９】本発明の第三実施形態に係るアイメイク施術台の肘置き部の外観が示され、調節機構が稼働したことによって角度が変化する前の外観斜視図である。
【発明を実施するための形態】
【００１６】
以下に、本発明の実施形態に係るアイメイク施術台を図面に基づいて説明する。図１および図２は、本発明の第一実施形態に係るアイメイク施術台が示されている。なお、以下の説明において、アイメイク施術とは、理美容院などでのアイラッシュ、アイブロウなどをはじめとするアイメイクの分野で、施術者が行う様々な施術を含んだ総称をいう。
【００１７】
図１に示されているとおり、アイメイク施術台１は次の各部から構成されている。すなわち、アイメイク施術台１は、被施術者の下半身が載置される座部１１と、この座部１１に連続し、被施術者の背中が載置される背もたれ部１２と、この背もたれ部１２の座部１１の側と逆側に連続し、被施術者の頭部が載置される施術部１３とを含んで構成される。施術部１３の周囲であって、載置される被施術者の頭部の左右位置及び上方位置には、施術者の肘が載置される肘置き部１４０が設けられている。なお、肘置き部１４０に載置されるのは、肘だけでなく、腕、手首など、施術者の身体の任意の一部である。
【００１８】
図２に示されているとおり、肘置き部１４０は、施術部１３の周囲であって、載置される被施術者の頭部の左右位置１４１，１４２から上方位置１４３に連続し、一体化された略逆Ｕ字形状である。上方位置１４３の表面よりも、左右位置１４１，１４２の表面の面積を大きくすることで、施術者の肘を、時と場合に応じて左右位置１４１，１４２および上方位置１４３の適切な位置に固定することができる形状としている。上方位置１４３の表面の面積が少ないことにより、施術者は被施術者により接近することが可能で、施術しやすいという利点もある。さらに、一定程度の厚み（厚み部分１４４）を有しているので、施術者は肘置き部１４０の厚み部分１４４に腕を圧接させることにより、肘を固定することも可能である。なお、肘置き部１４０の形状は任意であり、例えば、左右位置１４１，１４２の両方または片方のみ、上方位置１４３のみなどであってもよい。
【００１９】
図２に示されているとおり、アイメイク施術台１は、肘置き部１４０の背面に水平方向に設けられた水平軸１４５を有し、この水平軸１４５を中心（軸）に肘置き部１４０を回転させて肘置き部１４０の角度を調節する調節機構１５１が形成されている（図３参照）。
【００２０】
図３、図４および図５は、第一実施形態に係るアイメイク施術台の肘置き部１４０の外観が示されている。図３から図５に示されているとおり、調節機構１５１は次の各部から構成されている。すなわち、調節機構１５１は、背もたれ部１２に連結された支持部材１６１と、水平軸１４５を介して支持部材１６１に対して回転可能に支持され、水平軸１４５を軸に傾斜して角度が調節される回転部材１２０と、調節機構１５１を稼働させる操作部１２３とから構成されている。なお、以下の説明では、水平軸１４５の軸方向を側方とし、肘置き部１４０の裏側を背面側とし、肘置き部１４０の表面側を正面側とし、背もたれ部１２がある方向を手前側とする（図４参照）。
【００２１】
支持部材１６１は、ほぼ四角形の板状であり、側方の縁に第一縁部１７が形成されている。第一縁部１７は、支持部材１６１の側方の縁が背面側に向けて直角に折り曲げられて形成され、角度位置決め部１１８である複数の孔が形成されている。それぞれの角度位置決め部１１８は、水平軸１４５から等距離の位置に配置されている。第一縁部１７は第二縁部１９が取り付けられている。第二縁部１９は板状であり、第一縁部１７に対面して取り付けられている。第二縁部１９は正面側に突出し、突出した先端に水平軸１４５が形成されている（図４参照）。
【００２２】
回転部材１２０は、肘置き部１４０の背面側に取り付けられ、側方の縁に回転部材縁部１２１が形成されている。回転部材縁部１２１は、回転部材１２０の側方の縁が背面側に向けて直角に折り曲げられて形成され、水平軸１４５が形成されると共に操作部１２３が取り付けられている。
【００２３】
操作部１２３は、それぞれの調節嵌合部１２２が備えられ、側方に向けて突出している。すなわち、操作部１２３は、筒状の本体部材１２４の内側に、バネ部材２５と共にピン部材１２６が取り付けられている。ピン部材１２６は先端が調節嵌合部１２２であり、後端にＹ字状の把持部１２７が形成されている。調節嵌合部１２２は、互いに側方に向けて突出し、角度位置決め部１１８に嵌合される。水平軸１４５から調節嵌合部１２２までの間隔と、水平軸１４５から支持部材１６１の角度位置決め部１１８までの間隔とは、揃えられている。
【００２４】
角度位置決め部１１８と調節嵌合部１２２との嵌合状態は、操作部１２３の操作により変化する。すなわち、図５に示されているとおり、操作部１２３が水平軸１４５の軸方向に側方に引かれることで、バネ部材２５が圧縮されると共に調節嵌合部１２２が角度位置決め部１１８から抜去される。この状態で、肘置き部１４０の角度を調節する。肘置き部１４０は、回転部材１２０が水平軸１４５を軸に回転し、調節嵌合部１２２が任意の角度位置決め部１１８に合わせられる。バネ部材２５の復元力によって操作部１２３が水平軸１４５の軸方向に挿入されることで、調節嵌合部１２２が角度位置決め部１１８に嵌合する。
【００２５】
上記のとおり、第一実施形態に係るアイメイク施術台１が構成されている。
【００２６】
次に、本発明の第二実施形態に係るアイメイク施術台を図面に基づいて説明する。図６および図７は、本発明の第二実施形態に係るアイメイク施術台の調節機構２５１が示されている。なお、以下では、第一実施形態と異なる構成についての説明がされ、同じ構成についての説明が省略されている。
【００２７】
図６および図７に示されているとおり、調節機構２５１は次の各部から構成されている。すなわち、調節機構２５１は、背もたれ部１２に連結された支持部材２６１と、水平軸２４５を介して支持部材２６１に対して回転可能に支持され、水平軸２４５を軸に傾斜して角度が調節される回転部材２２０と、調節機構２５１を稼働させる操作部２２３とから構成されている。
【００２８】
図７に示されているとおり、支持部材２６１は、正面側および背面側から視してほぼコ字状であり、両端の先端に水平軸２４５を介して回転部材２２０が取り付けられ、水平軸２４５の手前側に調節嵌合部２２２が形成されている。調節嵌合部２２２は、側方の同じ向きに突出している。
【００２９】
図６および図７に示されているとおり、回転部材２２０は、肘置き部２４０の背面側に取り付けられ、側方の縁に回転部材縁部２２１が形成されている。回転部材縁部２２１は、回転部材２２０の側方の縁が背面側に向けて直角に折り曲げられて形成され、水平軸２４５および、角度位置決め部２１８である複数の孔が形成されている。それぞれの角度位置決め部２１８は、水平軸２４５から等距離の位置に配置され、調節嵌合部２２２に嵌合する。
【００３０】
操作部２２３は、片方の回転部材縁部２２１に取り付けられて水平軸２４５に備えられ、側方に向けて突出している。操作部２２３は、筒状の本体部材２２４の内側にピン部材２２６が取り付けられたネジ構造である。なお、逆側のピン部材２２６もネジ構造である。水平軸２４５から角度位置決め部２１８までの間隔と、水平軸２４５から支持部材２６１の調節嵌合部２２２までの間隔とは、揃えられている。
【００３１】
角度位置決め部２１８と調節嵌合部２２２との嵌合状態は、操作部２２３の操作により変化する。すなわち、操作部２２３を回転させることで、支持部材２６１に対する回転部材２２０の位置が、水平軸２４５を介して側方（軸方向）に移動すると共に、調節嵌合部２２２が角度位置決め部２１８から抜去される。この状態で、肘置き部２４０の角度を調節する。肘置き部１４０は、回転部材２２０が水平軸２４５を軸に回転し、角度位置決め部２１８が任意の調節嵌合部２２２に合わせられる。操作部２２３を逆に回転させることで調節嵌合部２２２が角度位置決め部２１８に嵌合する。
【００３２】
上記のとおり、第二実施形態に係るアイメイク施術台が構成されている。
【００３３】
次に、本発明の第三実施形態に係るアイメイク施術台を図面に基づいて説明する。図８および図９は、本発明の第三実施形態に係るアイメイク施術台の調節機構３５１が示されている。なお、以下では、第一実施形態と異なる構成についての説明がされ、同じ構成についての説明が省略されている。
【００３４】
図８および図９に示されているとおり、調節機構３５１は次の各部から構成されている。すなわち、調節機構３５１は、背もたれ部１２に連結された支持部材３６１と、水平軸３４５を介して支持部材３６１に対して回転可能に支持され、水平軸３４５を軸に傾斜して角度が調節される回転部材３２０と、調節機構３５１を稼働させる操作部３２３とから構成されている。
【００３５】
支持部材３６１は、正面側から視してほぼコ字状であり、両端の先端に水平軸３４５を介して回転部材３２０が取り付けられている。支持部材３６１は、水平軸３４５の手前側（水平軸３４５と交差して水平軸３４５から離れる方向）に向けて形成された係止部２８である複数の溝が形成されている。
【００３６】
回転部材３２０は、肘置き部３４０の背面側に取り付けられ、側方の縁に回転部材縁部３２１が形成されている。回転部材縁部３２１は、回転部材３２１の側方の縁が背面側に向けて直角に折り曲げられて形成され、水平軸３４５および、この水平軸３４５よりも手前側に、水平軸３４５と平行な調節軸２９が形成されている。調節軸２９は、係止部２８に係止される調節部材３２が、調節軸２９を軸として回転可能に支持されている。
【００３７】
調節部材３２は、ほぼコ字状に形成されたコ字状部３３と、このコ字状部３３の両端の先端に直角に連接されて側方に突出した調節軸部３１と、この調節軸部３１の先端に直角に連接されて手前側に突出した操作部３２３とから構成され、屈曲した各部３１，３３，３２３が同一平面上に形成されている。係止部２８と調節部材３２との係止状態は、この操作部３２３の操作により変化する。すなわち、操作部３２３を操作することにより、調節軸部２９を軸に調節部材３２を回転させることで、コ字状部３３が係止部２８から外れる。この状態で、肘置き部３４０の角度を調節する。肘置き部３４０は、回転部材３２０が水平軸３４５を軸に回転し、操作部３２３を操作することにより、コ字状部３３が任意の係止部２８に係止する。
【００３８】
上記のとおり、第三実施形態に係るアイメイク施術台が構成されている。
【００３９】
次に、各実施形態に係るアイメイク施術台の効果を説明する。
【００４０】
上記したとおり、各実施形態のアイメイク施術台によれば、施術者は、各肘置き部１４０，２４０，３４０に肘を固定させることにより、自ら脇を閉める必要がなくアイメイクなどの施術をすることができるので、施術が安定するとともに、施術効率を向上させることができる。さらに、施術時の姿勢が安定するため、施術者の身体への負担を軽減することもできる。また、各調節機構１５１，２５１，３５１により、肘を固定する位置や腕の角度を任意に調節することができるため、各施術箇所に応じた適切な姿勢を促すことができる。
【００４１】
また、各実施形態のアイメイク施術台によれば、簡便な構成で各調節機構１５１，２５１，３５１を実現することができ、簡便な操作で各調節機構１５１，２５１，３５１を稼働させることができる。特に、理美容という職業柄、施術者の多くが女性であり、そのため、施術者は一般的に力が弱いうえに、爪に装飾を施していることが多い状況下において、爪を傷めずに僅かな力で各肘置き部１４０，２４０，３４０を調節することができる。
【００４２】
以上、本発明の実施形態を詳述したが、本発明は上記実施形態に限定されるものではない。そして本発明は、特許請求の範囲に記載された事項を逸脱することがなければ、種々の設計変更を行うことが可能である。
【符号の説明】
【００４３】
１                      アイメイク施術台
１０                    脚部
１１                    座部
１２                    背もたれ部
１３                    施術部
１４０，２４０，３４０  肘置き部
１４１，１４２          左右位置
１４３                  上方位置
１４４                  厚み部分
１４５，２４５，３４５  水平軸（軸）
１５１，２５１，３５１  調節機構
１６１，２６１，３６１  支持部材
１７                    第一縁部
１１８、２１８          角度位置決め部
１９                    第二縁部
１２０，２２０，３２０  回転部材
１２１，２２１，３２１  回転部材縁部
１２２，２２２          調節嵌合部
１２３，２２３、３２３  操作部
１２４，２２４          本体部材
２５                    バネ部材
１２６，２２６          ピン部材
１２７                  把持部
２８                    係止部
２９                    調節軸
３０                    コ字状部
３１                    調節軸部
３２                    調節部材
３３                    コ字状部
【図１】
0006411106.tif 000002
【図２】
0006411106.tif 000003
【図３】
0006411106.tif 000004
【図４】
0006411106.tif 000005
【図５】
0006411106.tif 000006
【図６】
0006411106.tif 000007
【図７】
0006411106.tif 000008
【図８】
0006411106.tif 000009
【図９】
0006411106.tif 000010